(57)【特許請求の範囲】
【請求項１】
データカルーセル方式によって繰り返し送信される複数のモジュールを含むカルーセルの切り換えに応じてその内容が切り換わる、ＭＨＥＧコンテンツデータと前記カルーセルの識別子であるＤＳＩメッセージとを受信する受信手段と、
前記受信された前記ＭＨＥＧコンテンツデータを蓄積するＤＳＭ−ＣＣバッファと、
前記ＤＳＭＣバッファに格納されている前記ＭＨＥＧコンテンツデータを再構築するＤＳＭ−ＣＣデコーダブロックと、
前記ＤＳＭ−ＣＣデコーダブロックにより得られたＭＨＥＧコンテンツデータにアクセスしてシーン出力のデコード処理をおこなうＭＨＥＧデコーダブロックと、を備え、
前記ＤＳＭ−ＣＣデコーダブロックと前記ＭＨＥＧデコーダとの間のインターフェイスとしては、該ＭＨＥＧデコーダにおいて、内容が変更された前記ＤＳＩメッセージを受信した場合にはＤＳＩチェンジドイベントを発生する、Ｕ−Ｕ  ＡＰＩインターフェイスを採用し、
前記ＭＨＥＧデコーダは、前記ＤＳＩチェンジドイベントを前記ＤＳＭ−ＣＣデコーダブロックに伝達し、
前記ＤＳＭ−ＣＣデコーダブロックは、前記ＤＳＩチェンジドイベントを受信して、該ＤＳＩチェンジドイベント対して設定したイベント番号を前記ＭＨＥＧデコーダに返し、
前記ＭＨＥＧデコーダは、前記イベント番号を獲得して、ノーティファイを前記ＤＳＭ−ＣＣデコーダブロックに出力して前記ＤＳＩチェンジドイベントが発生した場合に知らせる要求を行い、
前記ＤＳＭ−ＣＣデコーダブロックは、ＤＳＩチェンジドイベントが発生した場合には、前記イベント番号を前記ＭＨＥＧデコーダに伝送する、受信装置。
【請求項２】
前記ＤＳＩチェンジドイベントが発生した場合に、前記イベント番号を受信した前記ＭＨＥＧデコーダは、前記ＤＳＩチェンジドイベントが発生する前のカルーセルに対応した処理データを継続して利用する請求項１に記載の受信装置。
【請求項３】
受信手段が、データカルーセル方式によって繰り返し送信される複数のモジュールを含むカルーセルの切り換えに応じてその内容が切り換わる、ＭＨＥＧコンテンツデータと前記カルーセルの識別子であるＤＳＩメッセージと、を受信し、
ＤＳＭ−ＣＣバッファが、前記受信された前記ＭＨＥＧコンテンツデータを蓄積し、
ＤＳＭ−ＣＣデコーダブロックが、前記ＤＳＭＣバッファに格納されている前記ＭＨＥＧコンテンツデータを再構築し、
ＭＨＥＧデコーダブロックが、前記ＤＳＭ−ＣＣデコーダブロックにより得られたＭＨＥＧコンテンツデータにアクセスしてシーン出力のデコード処理をおこない、
前記ＤＳＭ−ＣＣデコーダブロックと前記ＭＨＥＧデコーダとの間のインターフェイスとしては、該ＭＨＥＧデコーダにおいて、内容が変更された前記ＤＳＩメッセージを受信した場合にはＤＳＩチェンジドイベントを発生する、Ｕ−Ｕ  ＡＰＩインターフェイスを採用し、
前記ＭＨＥＧデコーダは、前記ＤＳＩチェンジドイベントを前記ＤＳＭ−ＣＣデコーダブロックに伝達し、
前記ＤＳＭ−ＣＣデコーダブロックは、前記ＤＳＩチェンジドイベントを受信して、該ＤＳＩチェンジドイベント対して設定したイベント番号を前記ＭＨＥＧデコーダに返し、
前記ＭＨＥＧデコーダは、前記イベント番号を獲得して、ノーティファイを前記ＤＳＭ−ＣＣデコーダブロックに出力して前記ＤＳＩチェンジドイベントが発生した場合に知らせる要求を行い、
前記ＤＳＭ−ＣＣデコーダブロックは、ＤＳＩチェンジドイベントが発生した場合には、前記イベント番号を前記ＭＨＥＧデコーダに伝送する、受信方法。
【発明の詳細な説明】
【０００１】
【発明の属する技術分野】
本発明は、例えばデジタル衛星放送などにおいてデータサービスを受信するシステムに適用して好適なデータ伝達制御方法に関するものである。
【０００２】
【従来の技術】
近年、デジタル衛星放送の普及が進んでいる。デジタル衛星放送は、例えば既存のアナログ放送と比較してノイズやフェージングに強く、高品質の信号を伝送することが可能である。また、周波数利用効率が向上され、多チャンネル化も図ることが可能になる。具体的には、デジタル衛星放送であれば１つの衛星で数百チャンネルを確保することも可能である。このようなデジタル衛星放送では、スポーツ、映画、音楽、ニュースなどの専門チャンネルが多数用意されており、これらの専門チャンネルでは、それぞれの専門のコンテンツに応じたプログラムが放送されている。
【０００３】
そして、上記のようなデジタル衛星放送システムを利用して、ユーザが楽曲等の音声データをダウンロードできるようにしたり、いわゆるテレビショッピングとして、例えばユーザが放送画面を見ながら何らかの商品についての購買契約を結べるようにしたりすることが提案されている。つまりは、デジタル衛星放送システムとして、通常の放送内容と並行したデータサービス放送を行うものである。
【０００４】
一例として、楽曲データのダウンロードであれば、放送側においては、放送番組と並行して、楽曲データを多重化して放送するようにする。また、この楽曲データのダウンロードに際しては、ＧＵＩ(Graphical User Interface)画面（即ちダウンロード用の操作画面である）を表示させることでインタラクティブな操作をユーザに行わせるようにされるが、このＧＵＩ画面出力のためのデータも多重化して放送するようにされる。
そして、受信装置を所有しているユーザ側では、所望のチャンネルを選局している状態で、受信装置に対する所定の操作によって楽曲データをダウンロードするためのＧＵＩ画面を表示出力させるようにする。そして、この表示された操作画面に対してユーザが操作を行うことで、例えば受信装置に接続したデジタルオーディオ機器に対してデータを供給し、これが録音されるようにするものである。
【０００５】
ところで、上記のような楽曲データをダウンロードするためのＧＵＩ画面としては、例えばＧＵＩ画面を形成するパーツ的な画像データ、テキストデータなどの情報に加え、更には所定操作に応じた音声出力のための音声データなどの単位データ（ファイル）をそれぞれオブジェクトとして扱い、このオブジェクトの出力態様を所定方式によるシナリオ記述によって規定することによって、上記操作画面についての所要の表示形態及び音声等の出力態様を実現するように構成することが考えられる。
なお、ここでは、上記ＧＵＩ画面のようにして、記述情報によって規定されることで、或る目的に従った機能を実現する表示画面（ここでは音声等の出力も含む）のことを「シーン」というものとする。また、「オブジェクト」とは、記述情報に基づいてその出力態様が規定される画像、音声、テキスト等の単位情報を示しており、伝送時においては、ここでは記述情報自体のデータファイルも「オブジェクト」の１つとして扱われるものとする。
【０００６】
上記シーン表示及びシーン表示上での音声出力等を実現するためのオブジェクトは、例えば所定の伝送方式に従ってエンコードされて送信される。
受信装置側では上記伝送方式に従ってデータを受信すると共に、この受信データについてデコード処理を施して、例えば表示に必要なシーンに必要とされるオブジェクトごとの纏まりとしてのデータを得て、これをシーンとして出力するようにされる。
【０００７】
【発明が解決しようとする課題】
ここで、受信装置を所有するユーザの使用環境を考慮すれば、上記所定の伝送方式に則った上で、受信装置にて受信したデータサービス用のデータの処理については出来るだけ効率的な処理が行われるようにして、例えば表示出力されるべきシーン内容の更新なども、できるだけ軽い処理で迅速に対応できるようにすることが好ましい。
【０００８】
【課題を解決するための手段】
そこで、本発明は上記した課題を考慮して、転送すべき所要のデータにより循環データ単位を形成し、この循環データ単位を所要の期間にわたり繰り返し転送するデータ転送方式に対応し、上記循環データ単位の内容が切り換ったことを、上記循環データ単位を受信するサーバ側からこの循環データ単位を使用するクライアントに対して通知できるようにした循環データ単位切り換え処理を実行するようにデータ伝達制御を行う。
【０００９】
上記構成によれば、少なくとも、循環データ単位の内容が切り換わったことををクライアントが知ることが可能となり、クライアントでは、これに基づいた所要の対応処理を実行することが可能になる。
【００１０】
【発明の実施の形態】
以降、本発明の実施の形態について説明する。
本発明が適用されるシステムとしては、デジタル衛星放送を利用して番組を放送すると共に、受信装置側ではこの番組に関連した楽曲データ（音声データ）等の情報をダウンロードできるようにしたシステムを例に挙げることとする。
【００１１】
なお、以降の説明は次の順序で行うこととする。
１．デジタル衛星放送システム
１−１．全体構成
１−２．ＧＵＩ画面に対する操作
１−３．地上局
１−４．送信フォーマット
１−５．ＩＲＤ
２．本発明に至った背景
３．本実施の形態のカルーセル切り換え通知制御
３−１．Ｕ−Ｕ  ＡＰＩの一般的処理
３−２．第１例
３−３．第２例
【００１２】
１．デジタル衛星放送システムの構成
１−１．全体構成
図１は、本実施の形態としてのデジタル衛星放送システムの全体構成を示すものである。この図に示すように、デジタル衛星放送の地上局１には、テレビ番組素材サーバ６からのテレビ番組放送のための素材と、楽曲素材サーバ７からの楽曲データの素材と、音声付加情報サーバ８からの音声付加情報と、ＧＵＩデータサーバからのＧＵＩデータとが送られる。
【００１３】
テレビ番組素材サーバ６は、通常の放送番組の素材を提供するサーバである。このテレビ番組素材サーバから送られてくる音楽放送の素材は、動画及び音声とされる。例えば、音楽放送番組であれば、上記テレビ番組素材サーバ６の動画及び音声の素材を利用して、例えば新曲のプロモーション用の動画及び音声が放送されたりすることになる。
【００１４】
楽曲素材サーバ７は、オーディオチャンネルを使用して、オーディオ番組を提供するサーバである。このオーディオ番組の素材は音声のみとなる。この楽曲素材サーバ７は、複数のオーディオチャンネルのオーディオ番組の素材を地上局１に伝送する。
各オーディオチャンネルの番組放送ではそれぞれ同一の楽曲が所定の単位時間繰り返して放送される。各オーディオチャンネルは、それぞれ独立しており、その利用方法としては各種考えられる。例えば、１つのオーディオチャンネルでは最新の日本のポップスの数曲を或る一定時間繰り返し放送し、他のオーディオチャンネルでは最新の外国のポップスの数曲を或る一定時間繰り返し放送するというようにされる。
【００１５】
音声付加情報サーバ８は、楽曲素材サーバ７から出力される楽曲の時間情報等を提供するサーバである。
【００１６】
ＧＵＩデータサーバ９は、ユーザが操作に用いるＧＵＩ画面を形成するための「ＧＵＩデータ」を提供する。例えば後述するような楽曲のダウンロードに関するＧＵＩ画面であれば、配信される楽曲のリストページや各楽曲の情報ページを形成するための画像データ、テキストデータ、アルバムジャケットの静止画を形成するためのデータなどを提供する。更には、受信設備３側にていわゆるＥＰＧ(Electrical Program Guide)といわれる番組表表示を行うのに利用されるＥＰＧデータもここから提供される。
なお、「ＧＵＩデータ」としては、例えばＭＨＥＧ(Multimedia Hypermedia Information Coding Experts Group)方式が採用される。ＭＨＥＧとは、マルチメディア情報、手順、操作などのそれぞれと、その組み合わせをオブジェクトとして捉え、それらのオブジェクトを符号化したうえで、タイトル（例えばＧＵＩ画面）として制作するためのシナリオ記述の国際標準とされる。また、本実施の形態ではＭＨＥＧ−５を採用するものとする。
【００１７】
地上局１は上記テレビ番組素材サーバ６、楽曲素材サーバ７、音声付加情報サーバ８、及びＧＵＩデータサーバ９から伝送された情報を多重化して送信する。本実施の形態では、テレビ番組素材サーバ６から伝送されたビデオデータはＭＰＥＧ(Moving Picture Experts Group)２方式により圧縮符号化され、オーディオデータはＭＰＥＧ２オーディオ方式により圧縮符号化される。また、楽曲素材サーバ７から伝送されたオーディオデータは、オーディオチャンネルごとに対応して、例えばＭＰＥＧ２オーディオ方式と、ＡＴＲＡＣ(Adoptive Tranform Acoustic Coding)方式と何れか一方の方式により圧縮符号化される。また、これらのデータは多重化の際、キー情報サーバ１０からのキー情報を利用して暗号化される。
なお、地上局１の内部構成例については後述する。
【００１８】
地上局１からの信号は衛星２を介して各家庭の受信設備３で受信される。衛星２には複数のトランスポンダが搭載されている。１つのトランスポンダは例えば３０Ｍｂｐｓの伝送能力を有している。各家庭の受信設備３としては、パラボラアンテナ１１とＩＲＤ(Integrated Receiver Decorder)１２と、ストレージデバイス１３と、モニタ装置１４とが用意される。
また、この場合には、ＩＲＤ１２に対して操作を行うためのリモートコントローラ６４が示されている。
【００１９】
パラボラアンテナ１１で衛星２を介して放送されてきた信号が受信される。この受信信号がパラボラアンテナ１１に取り付けられたＬＮＢ(Low Noize Block Down Converter)１５で所定の周波数に変換され、ＩＲＤ１２に供給される。
【００２０】
ＩＲＤ１２における概略的な動作としては、受信信号から所定のチャンネルの信号を選局し、その選局された信号から番組としてのビデオデータ及びオーディオデータの復調を行ってビデオ信号、オーディオ信号として出力する。また、ＩＲＤ１２では、番組としてのデータと共に多重化されて送信されてくる、ＧＵＩデータに基づいてＧＵＩ画面としての出力も行う。このようなＩＲＤ１２の出力は、例えばモニタ装置１４に対して供給される。これにより、モニタ装置１４では、ＩＲＤ１２により受信選局した番組の画像表示及び音声出力が行われ、また、後述するようなユーザの操作に従ってＧＵＩ画面を表示させることが可能となる。
【００２１】
ストレージデバイス１３は、ＩＲＤ１２によりダウンロードされたオーディオデータ（楽曲データ）を保存するためのものである。このストレージデバイス１３の種類としては特に限定されるものではなく、ＭＤ(Mini Disc)レコーダ／プレーヤ、ＤＡＴレコーダ／プレーヤ、ＤＶＤレコーダ／プレーヤ等を用いることができる。また、ストレージデバイス１３としてパーソナルコンピュータ装置を用い、ハードディスクのほか、ＣＤ−Ｒ等をはじめとする記録が可能なメディアにオーディオデータを保存するようにすることも可能とされる。
【００２２】
また、本実施の形態の受信設備３としては、図２に示すように、データ伝送規格としてＩＥＥＥ１３９４に対応したデータインターフェイスを備えたＭＤレコーダ／プレーヤ１３Ａを、図１に示すストレージデバイス１３として使用することができるようになっている。
この図に示すＩＥＥＥ１３９４対応のＭＤレコーダ／プレーヤ１３Ａは、ＩＥＥＥ１３９４バス１６によりＩＲＤ１２と接続される。これによって、本実施の形態では、ＩＲＤ１２にて受信された、楽曲としてのオーディオデータ（ダウンロードデータ）を、ＡＴＲＡＣ方式により圧縮処理が施されたままの状態で直接取り込んで記録することができる。また、ＭＤレコーダ／プレーヤ１３ＡとＩＲＤ１２とをＩＥＥＥ１３９４バス１６により接続した場合には、上記オーディオデータの他、そのアルバムのジャケットデータ（静止画データ）及び歌詞などのテキストデータを記録することも可能とされている。
【００２３】
ＩＲＤ１２は、例えば電話回線４を介して課金サーバ５と通信可能とされている。ＩＲＤ１２には、後述するようにして各種情報が記憶されるＩＣカードが挿入される。例えば楽曲のオーディオデータのダウンロードが行われたとすると、これに関する履歴情報がＩＣカードに記憶される。このＩＣカードの情報は、電話回線４を介して所定の機会、タイミングで課金サーバ５に送られる。課金サーバ５は、この送られてきた履歴情報に従って金額を設定して課金を行い、ユーザに請求する。
【００２４】
これまでの説明から分かるように、本発明が適用されたシステムでは、地上局１は、テレビ番組素材サーバ６からの音楽番組放送の素材となるビデオデータ及びオーディオデータと、楽曲素材サーバ７からのオーディオチャンネルの素材となるオーディオデータと、音声付加情報サーバ８からの音声データと、ＧＵＩデータサーバ９からのＧＵＩデータとを多重化して送信している。
そして、各家庭の受信設備３でこの放送を受信すると、例えばモニタ装置１４により、選局したチャンネルの番組を視聴することができる。また、番組のデータと共に送信されるＧＵＩデータを利用したＧＵＩ画面として、第１にはＥＰＧ（Electrical Program Guide；電子番組ガイド）画面を表示させ、番組の検索等を行うことができる。また、第２には、例えば通常の番組放送以外の特定のサービス用のＧＵＩ画面を利用して所要の操作を行うことで、本実施の形態の場合には、放送システムにおいて提供されている通常番組の視聴以外のサービスを享受することができる。
例えば、オーディオ（楽曲）データのダウンロードサービス用のＧＵＩ画面を表示させて、このＧＵＩ画面を利用して操作を行えば、ユーザが希望した楽曲のオーディオデータをダウンロードしてストレージデバイス１３に記録して保存することが可能になる。
【００２５】
なお、本実施の形態では、上記したようなＧＵＩ画面に対する操作を伴う、通常の番組放送以外の特定のサービスを提供するデータサービス放送については、インタラクティブ性を有することもあり、「インタラクティブ放送」ともいうことにする。
【００２６】
１−２．ＧＵＩ画面に対する操作
ここで、上述しているインタラクティブ放送の利用例、つまり、ＧＵＩ画面に対する操作例について、図３及び図４を参照して概略的に説明しておく。ここでは、楽曲データ（オーディオデータ）のダウンロードを行う場合について述べる。
【００２７】
先ず、図３によりＩＲＤ１２に対してユーザが操作を行うためのリモートコントローラ６４の操作キーについて、特に主要なものについて説明しておく。
図３には、リモートコントローラ６４において各種キーが配列された操作パネル面が示されている。ここでは、これら各種キーのうち、電源キー１０１、数字キー１０２、画面表示切換キー１０３、インタラクティブ切換キー１０４、ＥＰＧキーパネル部１０５、チャンネルキー１０６について説明する。
【００２８】
電源キー１０１は、ＩＲＤ１２の電源のオン／オフを行うためのキーである。数字キー１０２は、数字指定によりチャンネル切り換えを行ったり、例えばＧＵＩ画面において数値入力操作が必要な場合に操作するためのキーである。
画面表示切換キー１０３は、例えば通常の放送画面とＥＰＧ画面との切り換えを行うキーである。例えば、画面表示切換キー１０３によりＥＰＧ画面を呼び出した状態の下で、ＥＰＧキーパネル部１０５に配置されたキーを操作すれば、電子番組ガイドの表示画面を利用した番組検索が行えることになる。また、ＥＰＧキーパネル部１０５内の矢印キー１０５ａは、後述するサービス用のＧＵＩ画面におけるカーソル移動などにも使用することができる。
インタラクティブ切換キー１０４は、通常の放送画面と、その放送番組に付随したサービスのためのＧＵＩ画面との切り換えを行うために設けられる。
チャンネルキー１０６は、ＩＲＤ１２における選局チャンネルをそのチャンネル番号の昇順、降順に従って順次切り換えていくために設けられるキーである。
【００２９】
なお、本実施の形態のリモートコントローラ６４としては、例えばモニタ装置１４に対する各種操作も可能に構成されているものとされ、これに対応した各種キーも設けられているものであるが、ここでは、モニタ装置１４に対応するキー等の説明は省略する。
【００３０】
次に、図４を参照してＧＵＩ画面に対する操作の具体例について説明する。
受信設備３により放送を受信して所望のチャンネルを選局すると、モニタ装置１４の表示画面には、図４（ａ）に示すように、テレビ番組素材サーバ６から提供された番組素材に基づく動画像が表示される。つまり、通常の番組内容が表示される。ここでは、例えば音楽番組が表示されているものとする。また、この音楽番組には楽曲のオーディオデータのダウンロードサービス（インタラクティブ放送）が付随されているものとする。
そして、この音楽番組が表示されている状態の下で、例えばユーザがリモートコントローラ６４のインタラクティブ切換キー１０４を操作したとすると、表示画面は図４（ｂ）に示すような、オーディオデータのダウンロードのためのＧＵＩ画面に切り替わる。
【００３１】
このＧＵＩ画面においては、先ず、画面の左上部のテレビ番組表示エリア２１Ａに対して、図４（ａ）にて表示されていたテレビ番組素材サーバ６からのビデオデータによる画像が縮小化されて表示される。
また、画面の右上部には、オーディオチャンネルで放送されている各チャンネルの楽曲のリスト２１Ｂが表示される。また、画面の左下にはテキスト表示エリア２１Ｃとジャケット表示エリア２１Ｄが表示される。さらに、画面の右側には歌詞表示ボタン２２、プロフィール表示ボタン２３、情報表示ボタン２４、予約録音ボタン２５、予約済一覧表示ボタン２６、録音履歴表示ボタン２７、およびダウンロードボタン２８が表示される。
【００３２】
ユーザは、このリスト２１Ｂに表示されている楽曲名を見ながら、興味のある楽曲を探していく。そして、興味のある楽曲を見つけたらリモートコントローラ６４の矢印キー１０５ａ（ＥＰＧキーパネル部１０５内）を操作して、その楽曲が表示されている位置にカーソルを合わせた後、エンター操作を行う（例えば矢印キー１０５ａのセンター位置を押圧操作する）。
これによって、カーソルを合わせた楽曲を試聴することができる。すなわち、各オーディオチャンネルでは、所定の単位時間中、同一の楽曲が繰り返し放送されているので、テレビ番組表示エリア２１Ａの画面はそのままで、ＩＲＤ１２により上記操作により選択された楽曲のオーディオチャンネルに切り換えて音声出力することで、その楽曲を聞くことができる。この時、ジャケット表示エリア２１Ｄにはその楽曲のＭＤジャケットの静止画像が表示される
【００３３】
また、例えば上記の状態で歌詞表示ボタン２２にカーソルを合わせ、エンター操作を行う（以下、ボタン表示にカーソルを合わせ、エンター操作を行うことを「ボタンを押す」という）と、テキスト表示エリア２１Ｃに楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報などがテキスト表示エリア２１Ｃに表示される。このように、ユーザは、現在どのような楽曲が配信されているのかを知ることができ、更に各楽曲についての詳細な情報を知ることができる。
【００３４】
ユーザは試聴した楽曲を購入したい場合には、ダウンロードボタン２８を押す。ダウンロードボタン２８が押されると、選択された楽曲のオーディオデータがダウンロードされ、ストレージデバイス１３に記憶される。楽曲のオーディオデータと共に、その歌詞データ、アーティストのプロフィール情報、ジャケットの静止画データ等をダウンロードすることもできる。
そして、このようにして楽曲のオーディオデータがダウンロードされる毎に、その履歴情報がＩＲＤ１２内のＩＣカードに記憶される。ＩＣカードに記憶された情報は、例えば１カ月に一度ずつ課金サーバ５により取り込みが行われ、ユーザに対してデータサービスの使用履歴に応じた課金が行われる。これによって、ダウンロードされる楽曲の著作権を保護することができることにもなる。
【００３５】
また、ユーザは予めダウンロードの予約を行いたい場合には、予約録音ボタン２５を押す。このボタンを押すと、ＧＵＩ画面の表示が切り換わり、予約が可能な楽曲のリストが画面全体に表示される。例えばこのリストは１時間単位、１週間単位、チャンル単位等で検索した楽曲を表示することが可能である。ユーザはこのリストの中からダウンロードの予約を行いたい楽曲を選択すると、その情報がＩＲＤ１２内に登録される。そして、すでにダウンロードの予約を行った楽曲を碓認したい場合には、予約済一覧表示ボタン２６を押すことにより、画面全体に表示させることができる。このようにして予約された楽曲は、予約時刻になるとＩＲＤ１２によりダウンロードされ、ストレージデバイス１３に記憶される。
【００３６】
ユーザはダウンロードを行った楽曲について確認したい場合には、録音履歴ボタン２７を押すことにより、既にダウンロードを行った楽曲のリストを画面全体に表示させることができる。
【００３７】
このように、本発明が適用されたシステムの受信設備３では、モニタ装置１４のＧＵＩ画面上に楽曲のリストが表示される。そして、このＧＵＩ画面上の表示にしたがって楽曲を選択するとその楽曲を試聴することができ、その楽曲の歌詞やアーティストのプロフィール等を知ることができる。さらに、楽曲のダウンロードとその予約、ダウンロードの履歴や予約済楽曲リストの表示等を行うことができる。
【００３８】
詳しいことは後述するが、上記図４（ｂ）に示すようなＧＵＩ画面の表示と、ＧＵＩ画面に対するユーザの操作に応答したＧＵＩ画面上での表示変更、及び音声出力は、前述したＭＨＥＧ方式に基づいたシナリオ記述により、オブジェクトの関係を規定することにより実現される。ここでいうオブジェクトとは、図４（ｂ）に示された各ボタンに対応するパーツとしての画像データや各表示エリアに表示される素材データとなる。
そして、本明細書においては、このＧＵＩ画面のような、シナリオ記述によってオブジェクト間の関係が規定されることで、或る目的に従った情報の出力態様（画像表示や音声出力等）が実現される環境を「シーン」というものとする。また、１シーンを形成するオブジェクトとしては、シナリオ記述のファイル自体も含まれるものとする。
【００３９】
以上、説明したように、本発明が適用されたデジタル衛星放送システムでは放送番組が配信されると共に、複数のオーディオチャンネルを使用して楽曲のオーディオデータが配信される。そして、配信されている楽曲のリスト等を使用して所望の楽曲を探し、そのオーディオデータをストレージデバイス１３に簡単に保存することができる。
なお、デジタル衛星放送システムにおける番組提供以外のサービスとしては、上記した楽曲データのダウンロードの他にも各種考えられる。例えば、いわゆるテレビショッピングといわれる商品紹介番組を放送した上で、ＧＵＩ画面としては購買契約が結べるようなものを用意することも考えられる。
【００４０】
１−３．地上局
これまで、本実施の形態としてのデジタル衛星放送システムの概要について説明したが、以降、このシステムについてより詳しい説明を行っていくこととする。そこで、先ず地上局１の構成について図５を参照して説明する。
【００４１】
なお、以降の説明にあたっては、次のことを前提とする。
本実施の形態では、地上局１から衛星２を介しての受信設備３への送信を行うのにあたり、ＤＳＭ−ＣＣ(デジタル蓄積メディア・コマンド・アンド・コントロール；Digital Strage Media-Command and Control)プロトコルを採用する。
ＤＳＭ−ＣＣ（ＭＰＥＧ−ｐａｒｔ６）方式は、既に知られているように、例えば、何らかのネットワークを介して、デジタル蓄積メディア（ＤＳＭ）に蓄積されたＭＰＥＧ符号化ビットストリームを取り出し(Retrieve)たり、或いはＤＳＭに対してストリームを蓄積(Store)するためのコマンドや制御方式を規定したものである。そして本実施の形態においては、このＤＳＭ−ＣＣ方式がデジタル衛星放送システムにおける伝送規格として採用されているものである。
そして、ＤＳＭ−ＣＣ方式によりデータ放送サービス（例えばＧＵＩ画面など）のコンテンツ（オブジェクトの集合）を伝送するためには、コンテンツの記述形式を定義しておく必要がある。本実施の形態では、この記述形式の定義として先に述べたＭＨＥＧが採用されるものである。
【００４２】
図５に示す地上局１の構成において、テレビ番組素材登録システム３１は、テレビ番組素材サーバ６から得られた素材データをＡＶサーバ３５に登録する。この素材データはテレビ番組送出システム３９に送られ、ここでビデオデータは例えばＭＰＥＧ２方式で圧縮され、オーディオデータは、例えばＭＰＥＧ２オーディオ方式によりパケット化される。テレビ番組送出システム３９の出力はマルチプレクサ４５に送られる。
【００４３】
また、楽曲素材登録システム３２では、楽曲素材サーバ７からの素材データ、つまりオーディオデータを、ＭＰＥＧ２オーディオエンコーダ３６Ａ、及びＡＴＲＡＣエンコーダ３６Ｂに供給する。ＭＰＥＧ２オーディオエンコーダ３６Ａ、ＡＴＲＡＣエンコーダ３６Ｂでは、それぞれ供給されたオーディオデータについてエンコード処理（圧縮符号化）を行った後、ＭＰＥＧオーディオサーバ４０Ａ及びＡＴＲＡＣオーディオサーバ４０Ｂに登録させる。
ＭＰＥＧオーディオサーバ４０Ａに登録されたＭＰＥＧオーディオデータは、ＭＰＥＧオーディオ送出システム４３Ａに伝送されてここでパケット化された後、マルチプレクサ４５に伝送される。ＡＴＲＡＣオーディオサーバ４０Ｂに登録されたＡＴＲＡＣデータは、ＡＴＲＡＣオーディオ送出システム４３Ｂに４倍速ＡＴＲＡＣデータとして送られ、ここでパケット化されてマルチプレクサ４５に送出される。
【００４４】
また、音声付加情報登録システム３３では、音声付加情報サーバ８からの素材データである音声付加情報を音声付加情報データベース３７に登録する。この音声付加情報データベース３７に登録された音声付加情報は、音声付加情報送出システム４１に伝送され、同様にして、ここでパケット化されてマルチプレクサ４５に伝送される。
【００４５】
また、ＧＵＩ用素材登録システム３４では、ＧＵＩデータサーバ９からの素材データであるＧＵＩデータを、ＧＵＩ素材データベース３８に登録する。
【００４６】
ＧＵＩ素材データベース３８に登録されたＧＵＩ素材データは、ＧＵＩオーサリングシステム４２に伝送され、ここで、ＧＵＩ画面、即ち図４にて述べた「シーン」としての出力が可能なデータ形式となるように処理が施される。
【００４７】
つまり、ＧＵＩオーサリングシステム４２に伝送されてくるデータとしては、例えば、楽曲のダウンロードのためのＧＵＩ画面であれば、アルバムジャケットの静止画像データ、歌詞などのテキストデータ、更には、操作に応じて出力されるべき音声データなどである。
上記した各データはいわゆるモノメディアといわれるが、ＧＵＩオーサリングシステム４２では、ＭＨＥＧオーサリングツールを用いて、これらのモノメディアデータを符号化して、これをオブジェクトとして扱うようにする。
そして、例えば図４（ｂ）にて説明したようなシーン（ＧＵＩ画面）の表示態様と操作に応じた画像音声の出力態様が得られるように上記オブジェクトの関係を規定したシナリオ記述ファイル（スクリプト）と共にＭＨＥＧ−５のコンテンツを作成する。
また、図４（ｂ）に示したようなＧＵＩ画面では、テレビ番組素材サーバ６の素材データを基とする画像・音声データ（ＭＰＥＧビデオデータ、ＭＰＥＧオーディオデータ）と、楽曲素材サーバ７の楽曲素材データを基とするＭＰＥＧオーディオデータ等も、ＧＵＩ画面に表示され、操作に応じた出力態様が与えられる。
従って、上記シナリオ記述ファイルとしては、上記ＧＵＩオーサリングシステム４２では、上記したテレビ番組素材サーバ６の素材データを基とする画像・音声データ、楽曲素材サーバ７の楽曲素材データを基とするＭＰＥＧオーディオデータ、更には、音声付加情報サーバ８を基とする音声付加情報も必要に応じてオブジェクトとして扱われて、ＭＨＥＧのスクリプトによる規定が行われる。
【００４８】
なお、ＧＵＩオーサリングシステム４２から伝送されるＭＨＥＧコンテンツのデータとしては、スクリプトファイル、及びオブジェクトとしての各種静止画データファイルやテキストデータファイルなどとなるが、静止画データは、例えばＪＰＥＧ(Joint Photograph Experts Group)方式で圧縮された６４０×４８０ピクセルのデータとされ、テキストデータは例えば８００文字以内のファイルとされる。
【００４９】
ＧＵＩオーサリングシステム４２にて得られたＭＨＥＧコンテンツのデータはＤＳＭ−ＣＣエンコーダ４４に伝送される。
ＤＳＭ−ＣＣエンコーダ４４では、ＭＰＥＧ２フォーマットに従ったビデオ、オーディオデータのデータストリームに多重できる形式のトランスポートストリーム（以下ＴＳ(Transport Stream)とも略す）に変換して、パケット化されてマルチプレクサ４５に出力される。
【００５０】
マルチプレクサ４５においては、テレビ番組送出システム３９からのビデオパケットおよびオーディオパケットと、ＭＰＥＧオーディオ送出システム４３Ａからのオーディオパケットと、ＡＴＲＡＣオーディオ送出システム４３Ｂからの４倍速オーディオパケットと、音声付加情報送出システム４１からの音声付加情報パケットと、ＧＵＩオーサリングシステム４２からのＧＵＩデータパケットとが時間軸多重化されると共に、キー情報サーバ１０（図１）から出力されたキー情報に基づいて暗号化される。
【００５１】
マルチプレクサ４５の出力は電波送出システム４６に伝送され、ここで例えば誤り訂正符号の付加、変調、及び周波数変換などの処理を施された後、アンテナから衛星２に向けて送信出力するようにされる。
【００５２】
１−４．送信フォーマット
次に、ＤＳＭ−ＣＣ方式に基づいて規定された本実施の形態の送信フォーマットについて説明する。
図６は、地上局１から衛星２に送信出力される際のデータの一例を示している。なお、前述したように、この図に示す各データは実際には時間軸多重化されているものである。また、この図では、図６に示すように、時刻ｔ１から時刻ｔ２の間が１つのイベントとされ、時刻ｔ２から次のイベントとされる。ここでいうイベントとは、例えば音楽番組のチャンネルであれば、複数楽曲のラインナップの組を変更する単位であり、時間的には３０分或いは１時間程度となる。
【００５３】
図６に示すように、時刻ｔ１から時刻ｔ２のイベントでは、通常の動画の番組放送で、所定の内容Ａ１を有する番組が放送されている。また、時刻ｔ２から始めるイベントでは、内容Ａ２としての番組が放送されている。この通常の番組で放送されているのは動画と音声である。
【００５４】
ＭＰＥＧオーディオチャンネル（１）〜（１０）は、例えば、チャンネルＣＨ１からＣＨ１０の１０チャンネル分用意される。このとき、各オーディオチャンネルＣＨ１，ＣＨ２，ＣＨ３・・・・ＣＨ１０では、１つのイベントが放送されている間は同一楽曲が繰り返し送信される。つまり、時刻ｔ１〜ｔ２のイベントの期間においては、オーディオチャンネルＣＨ１では楽曲Ｂ１が繰り返し送信され、オーディオチャンネルＣＨ２では楽曲Ｃ１が繰り返し送信され、以下同様に、オーディオチャンネルＣＨ１０では楽曲Ｋ１が繰り返し送信されることになる。これは、その下に示されている４倍速ＡＴＲＡＣオーディオチャンネル（１）〜（１０）についても共通である。
【００５５】
つまり、図６において、ＭＰＥＧオーディオチャンネルと４倍速ＡＴＲＡＣオーディオチャンネルのチャンネル番号である（  ）内の数字が同じものは同じ楽曲となる。また、音声付加情報のチャンネル番号である（  ）内の数字は、同じチャンネル番号を有するオーディオデータに付加されている音声付加情報である。更に、ＧＵＩデータとして伝送される静止画データやテキストデータも各チャンネルごとに形成されるものである。これらのデータは、図７（ａ）〜（ｄ）に示すようにＭＰＥＧ２のトランスポートパケット内で時分割多重されて送信され、図７（ｅ）〜（ｈ）に示すようにしてＩＲＤ１２内では各データパケットのヘッダ情報を用いて再構築される。
【００５６】
また、上記図６及び図７に示した送信データのうち、少なくとも、データサービス（インタラクティブ放送）に利用されるＧＵＩデータは、ＤＳＭ−ＣＣ方式に則って論理的には次のようにして形成されるものである。ここでは、ＤＳＭ−ＣＣエンコーダ４４から出力されるトランスポートストリームのデータに限定して説明する。
【００５７】
図８（ａ）に示すように、ＤＳＭ−ＣＣ方式によって伝送される本実施の形態のデータ放送サービスは、Ｓｅｒｖｉｃｅ  Ｇａｔｅｗａｙという名称のルートディレクトリの中に全て含まれる。Ｓｅｒｖｉｃｅ Ｇａｔｅｗａｙに含まれるオブジェクトとしては、ディレクトリ（Ｄｉｒｅｃｔｏｒｙ），ファイル（Ｆｉｌｅ），ストリーム（Ｓｔｒｅａｍ），ストリームイベント（Ｓｔｒｅａｍ  Ｅｖｅｎｔ）などの種類が存在する。
【００５８】
これらのうち、ファイルは静止画像、音声、テキスト、更にはＭＨＥＧにより記述されたスクリプトなどの個々のデータファイルとされる。
ストリームは例えば、他のデータサービスやＡＶストリーム（ＴＶ番組素材としてのＭＰＥＧビデオデータ、オーディオデータ、楽曲素材としてのＭＰＥＧオーディオデータ、ＡＴＲＡＣオーディオデータ等）にリンクする情報が含まれる。
また、ストリームイベントは、同じくリンクの情報と時刻情報が含まれる。
ディレクトリは相互に関連するデータをまとめるフォルダである。
【００５９】
そして、ＤＳＭ−ＣＣ方式では、図８（ｂ）に示すようにして、これらの単位情報とＳｅｒｖｉｃｅ  Ｇａｔｅｗａｙをそれぞれオブジェクトという単位と捉え、それぞれをＢＩＯＰメッセージという形式に変換する。
なお、本発明に関わる説明では、ファイル，ストリーム，ストリームイベントの３つのオブジェクトの区別は本質的なものではないので、以下の説明ではこれらをファイルとしてのオブジェクトに代表させて説明する。
【００６０】
そして、ＤＳＭ−ＣＣ方式では、図８（ｃ）に示すモジュールといわれるデータ単位を生成する。このモジュールは、図８（ｂ）に示したＢＩＯＰメッセージ化されたオブジェクトを１つ以上含むようにされたうえで、ＢＩＯＰヘッダが付加されて形成される可変長のデータ単位であり、後述する受信側における受信データのバッファリング単位となる。
また、ＤＳＭ−ＣＣ方式としては、１モジュールを複数のオブジェクトにより形成する場合の、オブジェクト間の関係については特に規定、制限はされていない。つまり、極端なことをいえば、全く関係の無いシーン間における２以上のオブジェクトにより１モジュールを形成したとしても、ＤＳＭ−ＣＣ方式のもとでの規定に何ら違反するものではない。
【００６１】
このモジュールは、ＭＰＥＧ２フォーマットにより規定されるセクションといわれる形式で伝送するために、図８（ｄ）に示すように、機械的に「ブロック」といわれる原則固定長のデータ単位に分割される。但し、モジュールにおける最後のブロックについては規定の固定長である必要はないものとされている。このように、ブロック分割を行うのはＭＰＥＧ２フォーマットにおいて、１セクションが４ＫＢを越えてはならないという規定があることに起因する。
また、この場合には上記ブロックとしてのデータ単位と、セクションとは同義なものとなる。
【００６２】
このようにしてモジュールを分割して得たブロックは、図８（ｅ）に示すようにしてヘッダが付加されてＤＤＢ(Download Data Block)というメッセージの形式に変換される。
【００６３】
また、上記ＤＤＢへの変換と並行して、ＤＳＩ(Download Server Initiate)及びＤＩＩ(Download Indication Information)という制御メッセージが生成される。
上記ＤＳＩ及びＤＩＩは、受信側（ＩＲＤ１２）で受信データからモジュールを取得する際に必要となる情報であり、ＤＳＩは主として、次に説明するカルーセル（モジュール）の識別子、カルーセル全体に関連する情報（カルーセルが１回転する時間、カルーセル回転のタイムアウト値）等の情報を有する。また、データサービスのルートディレクトリ（Ｓｅｒｖｉｃｅ  Ｇａｔｅｗａｙ）の所在を知るための情報も有する（オブジェクトカルーセル方式の場合）。
【００６４】
ＤＩＩは、カルーセルに含まれるモジュールごとに対応する情報であり、モジュールごとのサイズ、バージョン、そのモジュールのタイムアウト値などの情報を有する。
【００６５】
そして、図８（ｆ）に示すように、上記ＤＤＢ、ＤＳＩ、ＤＩＩの３種類のメッセージをセクションのデータ単位に対応させて周期的に、かつ、繰り返し送出するようにされる。これにより、受信機側では例えば目的のＧＵＩ画面（シーン）を得るのに必要なオブジェクトが含まれているモジュールをいつでも受信できるようにされる。
本明細書では、このような伝送方式を回転木馬に例えて「カルーセル方式」といい、図８（ｆ）に示すようにして模式的に表されるデータ伝送形態をカルーセルというものとする。
ここで、１カルーセルに含まれるモジュールとしては複数とされて構わない。例えば、１カルーセルにより１つのデータサービスに必要な複数のモジュールを伝送するようにしてもよいものである。
また、「カルーセル方式」としては、「データカルーセル方式」のレベルと「オブジェクトカルーセル方式」のレベルとに分けられる。特にオブジェクトカルーセル方式では、ファイル、ディレクトリ、ストリーム、サービスゲートウェイなどの属性を持つオブジェクトをデータとしてカルーセルを用いて転送する方式で、ディレクトリ構造を扱えることがデータカルーセル方式と大きく異なる。本実施の形態のシステムでは、オブジェクトカルーセル方式を採用するものとされる。
【００６６】
また、図９に、ＭＨＥＧ方式に則ったデータサービスとしてのファイル（ＭＨＥＧ ａｐｐｌｉｃａｔｉｏｎ ｆｉｌｅ）のディレクトリ構造例を示す。上述のようにオブジェクトカルーセル方式は、このディレクトリ構造を扱えることに特徴を有する。
通常、Ｓｅｒｖｉｃｅ  Ｄｏｍａｉｎの入り口となる（ＭＨＥＧ ａｐｐｌｉｃａｔｉｏｎ ｆｉｌｅ）は、必ず、Ｓｅｒｖｉｃｅ  Ｇａｔｅｗａｙの直下にある、ａｐｐ０／ｓｔａｒｔｕｐというファイルとなる。
基本的には、Ｓｅｒｖｉｃｅ  Ｄｏｍａｉｎ（Ｓｅｒｖｉｃｅ  Ｇａｔｅｗａｙ）の下にａｐｐｌｉｃａｔｉｏｎ  ｄｉｒｅｃｔｏｒｙ（ａｐｐ０，ａｐｐ１・・・ａｐｐＮ）があり、その下にｓｔａｒｔｕｐといわれるアプリケーション・ファイルと、ａｐｐｌｉｃａｔｉｏｎを構成する各ｓｃｅｎｅのｄｉｒｅｃｔｏｒｙ（ｓｃｅｎｅ０，ｓｃｅｎｅ１・・・）があるようにされる。更にｓｃｅｎｅ  ｄｉｒｅｃｔｏｒｙの下には、ＭＨＥＧ  ｓｃｅｎｅ  ｆｉｌｅとｓｃｅｎｅを構成する各ｃｏｎｔｅｎｔ  ｆｉｌｅがおかれることとしている。
【００６７】
また、上記のようにしてカルーセルにより送信されるＧＵＩデータ、つまり、図５のＤＳＭ−ＣＣエンコーダ４４から出力されるデータとしては、トランスポートストリームの形態により出力される。このトランスポートストリームは例えば図１０に示す構造を有する。
図１０（ａ）には、トランスポートストリームが示されている。このトランスポートストリームとはＭＰＥＧシステムで定義されているビット列であり、図のように１８８バイトの固定長パケット（トランスポートパケット）の連結により形成される。
【００６８】
そして、各トランスポートパケットは、図１０（ｂ）に示すようにヘッダと特定の個別パケットに付加情報を含めるためのアダプテーションフィールドとパケットの内容（ビデオ／オーディオデータ等）を表すペイロード（データ領域）とからなる。
【００６９】
ヘッダは、例えば実際には４バイトとされ、図１０（ｃ）に示すように、先頭には必ず同期バイトがあるようにされ、これより後ろの所定位置にそのパケットの識別情報であるＰＩＤ（Ｐａｃｋｅｔ＿ＩＤ）、スクランブルの有無を示すスクランブル制御情報、後続するアダプテーションフィールドやペイロードの有無等を示すアダプテーションフィールド制御情報が格納されている。
【００７０】
これらの制御情報に基づいて、受信装置側ではパケット単位でデスクランブルを行い、また、デマルチプレクサによりビデオ／オーディオ／データ等の必要パケットの分離・抽出を行うことができる。また、ビデオ／オーディオの同期再生の基準となる時刻情報を再生することもここで行うことができる。
【００７１】
また、これまでの説明から分かるように、１つのトランスポートストリームには複数チャンネル分の映像／音声／データのパケットが多重されているが、それ以外にＰＳＩ(Program Specific Information)といわれる選局を司るための信号や、限定受信（個人の契約状況により有料チャンネルの受信可不可を決定する受信機能）に必要な情報（ＥＭＭ／ＥＣＭ）、ＥＰＧなどのサービスを実現するためのＳＩ(Service Information)が同時に多重されている。ここでは、ＰＳＩについて説明する。
【００７２】
ＰＳＩは、図１１に示すようにして、４つのテーブルで構成されている。それぞれのテーブルは、セクション形式というＭＰＥＧ  Ｓｙｓｔｅｍに準拠した形式で表されている。
図１１（ａ）には、ＮＩＴ(Network Informataion Table)及びＣＡＴ(Conditional Access Table)のテーブルが示されている。
ＮＩＴは、全キャリアに同一内容が多重されている。キャリアごとの伝送諸元（偏波面、キャリア周波数、畳み込みレート等）と、そこに多重されているチャンネルのリストが記述されている。ＮＩＴのＰＩＤとしては、ＰＩＤ＝0x0010とされている。
【００７３】
ＣＡＴもまた、全キャリアに同一内容が多重される。限定受信方式の識別と契約情報等の個別情報であるＥＭＭ(Entitlement Management Message)パケットのＰＩＤが記述されている。ＰＩＤとしては、ＰＩＤ＝0x0001により示される。
【００７４】
図１１（ｂ）には、キャリアごとに固有の内容を有する情報として、ＰＡＴが示される。ＰＡＴには、そのキャリア内のチャンネル情報と、各チャンネルの内容を表すＰＭＴのＰＩＤが記述されている。ＰＩＤとしては、ＰＩＤ＝0x0000により示される。
【００７５】
また、キャリアにおけるチャンネルごとの情報として、図１１（ｃ）に示すＰＭＴ(Program Map Table)のテーブルを有する。
ＰＭＴは、チャンネル別の内容が多重されている。例えば、図１１（ｄ）に示すような、各チャンネルを構成するコンポーネント（ビデオ／オーディオ等）と、デスクランブルに必要なＥＣＭ(Encryption Control Message)パケットのＰＩＤが記述されているＰＭＴのＰＩＤは、ＰＡＴにより指定される。
【００７６】
１−５．ＩＲＤ
続いて、受信設備３に備えられるＩＲＤ１２の一構成例について図１２を参照して説明する。
【００７７】
この図に示すＩＲＤ１２において、入力端子Ｔ１には、パラボラアンテナ１１のＬＮＢ１５により所定の周波数に変換された受信信号を入力してチューナ／フロントエンド部５１に供給する。
チューナ／フロントエンド部５１では、ＣＰＵ(Central Processing Unit)８０からの伝送諸元等を設定した設定信号に基づいて、この設定信号により決定されるキャリア（受信周波数）を受信して、例えばビタビ復調処理や誤り訂正処理等を施すことで、トランスポートストリームを得るようにされる。
チューナ／フロントエンド部５１にて得られたトランスポートストリームは、デスクランブラ５２に対して供給される。また、チューナ／フロントエンド部５１では、トランスポートストリームからＰＳＩのパケットを取得し、その選局情報を更新すると共に、トランスポートストリームにおける各チャンネルのコンポーネントＰＩＤを得て、例えばＣＰＵ８０に伝送する。ＣＰＵ８０では、取得したＰＩＤを受信信号処理に利用することになる。
【００７８】
デスクランブラ５２では、ＩＣカード６５に記憶されているデスクランブルキーデータをＣＰＵ８０を介して受け取ると共に、ＣＰＵ８０によりＰＩＤが設定される。そして、このデスクランブルキーデータとＰＩＤとに基づいてデスクランブル処理を実行し、トランスポート部５３に対して伝送する。
【００７９】
トランスポート部５３は、デマルチプレクサ７０と、例えばＤＲＡＭ等により構成されるキュー（Queue）７１とからなる。キュー（Queue）７１は、モジュール単位に対応した複数のメモリ領域が列となるようにして形成されているものとされ、例えば本実施の形態では、３２列のメモリ領域が備えられる。つまり、最大で３２モジュールの情報を同時に格納することができる。
【００８０】
デマルチプレクサ７０の概略的動作としては、ＣＰＵ８０のＤｅＭＵＸドライバ８２により設定されたフィルタ条件に従って、デスクランブラ５２から供給されたトランスポートストリームから必要なトランスポートパケットを分離し、必要があればキュー７１を作業領域として利用して、先に図７（ｅ）〜（ｈ）により示したような形式のデータを得て、それぞれ必要な機能回路部に対して供給する。
デマルチプレクサ７０にて分離されたＭＰＥＧビデオデータは、ＭＰＥＧ２ビデオデコーダ５５に対して入力され、ＭＰＥＧオーディオデータは、ＭＰＥＧオーディオデコーダ５４に対して入力される。これらデマルチプレクサ７０により分離されたＭＰＥＧビデオ／オーディオデータの個別パケットは、ＰＥＳ(Packetized Elementary Stream)と呼ばれる形式でそれぞれのデコーダに入力される。
【００８１】
また、トランスポートストリームにおけるＭＨＥＧコンテンツのデータについては、デマルチプレクサ７０によりトランスポートストリームからトランスポートパケット単位で分離抽出されながらキュー７１の所要のメモリ領域に書き込まれていくことで、モジュール単位にまとめられるようにして形成される。そして、このモジュール単位にまとめられたＭＨＥＧコンテンツのデータは、ＣＰＵ８０の制御によってデータバスを介して、メインメモリ９０内のＤＳＭ−ＣＣバッファ９１に書き込まれて保持される。
【００８２】
また、トランスポートストリームにおける４倍速ＡＴＲＡＣデータ（圧縮オーディオデータ）も、例えばトランスポートパケット単位で必要なデータがデマルチプレクサ７０により分離抽出されてＩＥＥＥ１３９４インターフェイス６０に対して出力される。また、ＩＥＥＥ１３９４インターフェイス６０を介した場合には、オーディオディオデータの他、ビデオデータ及び各種コマンド信号等を送出することも可能とされる。
【００８３】
ＰＥＳとしての形式によるＭＰＥＧビデオデータが入力されたＭＰＥＧ２ビデオデコーダ５５では、メモリ５５Ａを作業領域として利用しながらＭＰＥＧ２フォーマットに従って復号化処理を施す。復号化されたビデオデータは、表示処理部５８に供給される。
【００８４】
表示処理部５８には、上記ＭＰＥＧ２ビデオデコーダ５５から入力されたビデオデータと、後述するようにしてメインメモリ９０のＭＨＥＧバッファ９２にて得られるデータサービス用のＧＵＩ画面等のビデオデータが入力される。表示処理部５８では、このようにして入力されたビデオデータについて所要の信号処理を施して、所定のテレビジョン方式によるアナログオーディオ信号に変換してアナログビデオ出力端子Ｔ２に対して出力する。
これにより、アナログビデオ出力端子Ｔ２とモニタ装置１４のビデオ入力端子とを接続することで、例えば先に図４に示したような表示が行われる。
【００８５】
また、ＰＥＳによるＭＰＥＧオーディオデータが入力されるＭＰＥＧ２オーディオデコーダ５４では、メモリ５４Ａを作業領域として利用しながらＭＰＥＧ２フォーマットに従って復号化処理を施す。復号化されたオーディオデータは、Ｄ／Ａコンバータ５６及び光デジタル出力インターフェイス５９に対して供給される。
【００８６】
Ｄ／Ａコンバータ５６では、入力されたオーディオデータについてアナログ音声信号に変換してスイッチ回路５７に出力する。スイッチ回路５７では、アナログオーディオ出力端子Ｔ３又はＴ４の何れか一方に対してアナログ音声信号を出力するように信号経路の切換を行う。
ここでは、アナログオーディオ出力端子Ｔ３はモニタ装置１４の音声入力端子と接続されるために設けられているものとされる。また、アナログオーディオ出力端子Ｔ４はダウンロードした楽曲をアナログ信号により出力するための端子とされる。
また、光デジタル出力インターフェイス５９では、入力されたデジタルオーディオデータを光デジタル信号に変換して出力する。この場合、光デジタル出力インターフェイス５９は、例えばＩＥＣ９５８に準拠する。
【００８７】
メインメモリ９０は、ＣＰＵ８０が各種制御処理を行う際の作業領域として利用されるものである。そして、本実施の形態では、このメインメモリ９０において、前述したＤＳＭ−ＣＣバッファ９１と、ＭＨＥＧバッファ９２としての領域が割り当てられるようになっている。
ＭＨＥＧバッファ９２には、ＭＨＥＧ方式によるスクリプトの記述に従って生成された画像データ（例えばＧＵＩ画面の画像データ）を生成するための作業領域とされ、ここで生成された画像データはバスラインを介して表示処理部５８に供給される。
【００８８】
ＣＰＵ８０は、ＩＲＤ１２における全体制御を実行する。このなかには、デマルチプレクサ７０におけるデータ分離抽出についての制御も含まれる。
また、獲得したＭＨＥＧコンテンツのデータについてデコード処理を施すことで、スクリプトの記述内容に従ってＧＵＩ画面（シーン）を構成して出力するための処理も実行する。
【００８９】
このため、本実施の形態のＣＰＵ８０としては、主たる制御処理を実行する制御処理部８１に加え、例えば少なくとも、ＤｅＭＵＸドライバ８２、ＤＳＭ−ＣＣデコーダブロック８３、及びＭＨＥＧデコーダブロック８４が備えられる。本実施の形態では、このうち、少なくともＤＳＭ−ＣＣデコーダブロック８３及びＭＨＥＧデコーダブロック８４については、ソフトウェアにより構成される。
ＤｅＭＵＸドライバ８２は、入力されたトランスポートストリームのＰＩＤに基づいてデマルチプレクサ７０におけるフィルタ条件を設定する。
ＤＳＭ−ＣＣデコーダブロック８３は、ＤＳＭ−Ｍａｎａｇｅｒとしての機能を有するものであり、ＤＳＭ−ＣＣバッファ９１に格納されているモジュール単位のデータについて、ＭＨＥＧコンテンツのデータに再構築する。また、ＭＨＥＧデコーダブロック８４からのアクセスに従って所要のＤＳＭ−ＣＣデコード等に関連する処理を実行する。
【００９０】
ＭＨＥＧデコーダブロック８４は、ＤＳＭ−ＣＣデコーダブロック８３により得られたＭＨＥＧコンテンツのデータ、つまり、ＤＳＭ−ＣＣバッファ９１にて得られているＭＨＥＧコンテンツのデータにアクセスして、シーン出力のためのデコード処理を行う。つまり、そのＭＨＥＧコンテンツのスクリプトファイルにより規定されているオブジェクト間の関係を実現していくことで、シーンを形成するものである。この際、シーンとしてＧＵＩ画面を形成するのにあたっては、ＭＨＥＧバッファ９２を利用して、ここで、スクリプトファイルの内容に従ってＧＵＩ画面の画像データを生成するようにされる。
【００９１】
ＤＳＭ−ＣＣデコーダブロック８３及びＭＨＥＧデコーダブロック８４間のインターフェイスには、Ｕ−Ｕ  ＡＰＩ（ＤＳＭ−ＣＣ  Ｕ−Ｕ  ＡＰＩ(Applivation Portability Interface)）が採用される。
Ｕ−Ｕ  ＡＰＩは、例えばクライアント（ＭＨＥＧデコーダブロック８４）側がＤＳＭ  Ｍａｎａｇｅｒオブジェクト（ＤＳＭの機能を実現するサーバオブジェクト；ＤＳＭ−ＣＣデコーダブロック８３）にアクセスするためのインターフェイスであり、カルーセルに含まれるＳｅｒｖｉｃｅ Ｇａｔｅｗａｙ，Ｄｉｒｅｃｔｏｒｙ，Ｆｉｌｅ，Ｓｔｒｅａｍ，Ｓｔｒｅａｍ  Ｅｖｅｎｔなどの属性を有するオブジェクトをファイルシステムのようにして構造的にアクセスすることができるようにしたＡＰＩとされる。
【００９２】
このＡＰＩを通じてカルーセルに含まれるオブジェクトへのアクセスを行うことで、カルーセルを使用するプログラム（クライアント）がカルーセル受信動作を関知することなく、バス名を使用してオブジェクトにアクセスすることが可能になる。
【００９３】
また、このＵ−Ｕ  ＡＰＩは、下層のデータ転送方式に関わらず利用することが出来るように規定されたインターフェイスの集合であることから、このＡＰＩを利用するプログラムは、Ｕ−Ｕ  ＡＰＩを提供するどのようなデータ転送方式においても利用できるという利点を有する。
【００９４】
ここで、ＣＰＵ８０の制御によりトランスポートストリームから１シーンを形成するのに必要な目的のオブジェクトを抽出するための動作例について説明しておく。
【００９５】
ＤＳＭ−ＣＣでは、トランスポートストリーム中のオブジェクトの所在を示すのにＩＯＲ(Interoperable Object Reference)が使用される。ＩＯＲには、オブジェクトを見つけ出すための力ルーセルに対応する識別子、オブジェクトの含まれるモジュールの識別子（以下ｍｏｄｕｌｅ＿ｉｄと表記）、１つのモジュール中でオブジェクトを特定する識別子（以下ｏｂｊｅｃｔ＿ｋｅｙと表記）のほかに、オブジェクトの含まれるモジュールの情報を持つＤＩＩを識別するためのタグ（ａｓｓｏｃｉａｔｉｏｎ＿ｔａｇ）情報を含んでいる。
また、モジュール情報を持つＤＩＩには、１つ以上のモジュールそれぞれについてのｍｏｄｕｌｅ＿ｉｄ、モジュールの大きさ、バージョンといった情報と、そのモジュールを識別するためのタグ（ａｓｓｏｃｉａｔｉｏｎ＿ｔａｇ）情報を含んでいる。
【００９６】
トランスポートストリームから抜き出されたＩＯＲがＣＰＵ８０において識別された場合に、そのＩＯＲで示されたオブジェクトを受信、分離して得るプロセスは、例えば次のようになる。
（Ｐｒ１）  ＣＰＵ８０のＤｅＭＵＸドライバ８２では、ＩＯＲのａｓｓｏｃｉａｔｉｏｎ＿ｔａｇと同じ値を持つエレメンタリーストリーム（以下ＥＳと表記）を、カルーセルにおけるＰＭＴのＥＳループから探し出してＰＩＤを得る。このＰＩＤを持つＥＳにＤＩＩが含まれていることになる。
（Ｐｒ２）  このＰＩＤとｔａｂｌｅ＿ｉｄ＿ｅｘｔｅｎｓｉｏｎとをフィルタ条件としてデマルチプレクサ７０に対して設定する。これにより、デマルチプレクサ７０では、ＤＩＩを分離してＣＰＵ８０に対して出力する。
（Ｐｒ３）  ＤＩＩの中で、先のＩＯＲに含まれていたｍｏｄｕｌｅ＿ｉｄに相当するモジュールのａｓｓｏｃｉａｔｉｏｎ＿ｔａｇを得る。
（Ｐｒ４）  上記ａｓｓｏｃｉａｔｉｏｎ＿ｔａｇと同じ値を有するＥＳを、ＰＭＴのＥＳループ（カルーセル）から探し出し、ＰＩＤを得る。このＰＩＤを有するＥＳに目的とするモジュールが含まれる。
（Ｐｒ５）  上記ＰＩＤとｍｏｄｕｌｅ＿ｉｄとをフィルタ条件として設定して、デマルチプレクサ７０によるフィルタリングを行う。このフィルタ条件に適合して分離抽出されたトランスポートパケットがキュー７１の所要のメモリ領域（列）に格納されていくことで、最終的には、目的のモジュールが形成される。
（Ｐｒ６）  先のＩＯＲに含まれていたｏｂｊｅｃｔ＿ｋｅｙに相当するオブジェクトをこのモジュールから抜き出す。これが目的とするオブジェクトになる。このモジュールから抜き出されたオブジェクトは、例えば、ＤＳＭ−ＣＣバッファ９１の所定の領域に書き込みが行われる。
例えば、上記動作を繰り返し、目的とするオブジェクトを集めてＤＳＭ−ＣＣバッファ９１に格納していくことで、必要とされるシーンを形成するＭＨＥＧコンテンツが得られることになる。
【００９７】
マンマシンインターフェイス６１では、リモートコントローラ６４から送信されてきたコマンド信号を受信してＣＰＵ８０に対して伝送する。ＣＰＵ８０では、受信したコマンド信号に応じた機器の動作が得られるように、所要の制御処理を実行する。
【００９８】
ＩＣカードスロット６２にはＩＣカード６５が挿入される。そして、この挿入されたＩＣカード６５に対してＣＰＵ８０によって情報の書き込み及び読み出しが行われる。
【００９９】
モデム６３は、電話回線４を介して課金サーバ５と接続されており、ＣＰＵ８０の制御によってＩＲＤ１２と課金サーバ５との通信が行われるように制御される。
【０１００】
ここで、上記構成によるＩＲＤ１２におけるビデオ／オーディオソースの信号の流れを、図４により説明した表示形態に照らし合わせながら補足的に説明する。
図４（ａ）に示すようにして、通常の番組を出力する場合には、入力されたトランスポートストリームから必要な番組のＭＰＥＧビデオデータとＭＰＥＧオーディオデータとが抽出されて、それぞれ復号化処理が施される。そして、このビデオデータとＭＰＥＧオーディオデータが、それぞれアナログビデオ出力端子Ｔ２と、アナログオーディオ出力端子Ｔ３に出力されることで、モニタ装置１４では、放送番組の画像表示と音声出力が行われる。
【０１０１】
また、図４（ｂ）に示したＧＵＩ画面を出力する場合には、入力されたトランスポートストリームから、このＧＵＩ画面（シーン）に必要なＭＨＥＧコンテンツのデータをトランスポート部５３により分離抽出してＤＳＭ−ＣＣバッファ９１に取り込む。そして、このデータを利用して、前述したようにＤＳＭ−ＣＣデコーダブロック８３及びＭＨＥＧデコーダブロック８４が機能することで、ＭＨＥＧバッファ９２にてシーン（ＧＵＩ画面）の画像データが作成される。そして、この画像データが表示処理部５８を介してアナログビデオ出力端子Ｔ２に供給されることで、モニタ装置１４にはＧＵＩ画面の表示が行われる。
【０１０２】
また、図４（ｂ）に示したＧＵＩ画面上で楽曲のリスト２１Ｂにより楽曲が選択され、その楽曲のオーディオデータを試聴する場合には、この楽曲のＭＰＥＧオーディオデータがデマルチプレクサ７０により得られる。そして、このＭＰＥＧオーディオデータが、ＭＰＥＧオーディオデコーダ５４、Ｄ／Ａコンバータ、スイッチ回路５７、アナログオーディオ出力端子Ｔ３を介してアナログ音声信号とされてモニタ装置１４に対して出力される。
【０１０３】
また、図４（ｂ）に示したＧＵＩ画面上でダウンロードボタン２８が押されてオーディオデータをダウンロードする場合には、ダウンロードすべき楽曲のオーディオデータがデマルチプレクサ７０により抽出されてアナログオーディオ出力端子Ｔ４、光デジタル出力インターフェイス５９、またはＩＥＥＥ１３９４インターフェイス６０に出力される。
【０１０４】
ここで、特にＩＥＥＥ１３９４インターフェイス６０に対して、図２に示したＩＥＥＥ１３９４対応のＭＤレコーダ／プレーヤ１３Ａが接続されている場合には、デマルチプレクサ７０ではダウンロード楽曲の４倍速ＡＴＲＡＣデータが抽出され、ＩＥＥＥ１３９４インターフェイス６０を介してＭＤレコーダ／プレーヤ１３Ａに装填されているディスクに対して記録が行われる。また、この際には、例えばＪＰＥＧ方式で圧縮されたアルバムジャケットの静止画データ、歌詞やアーティストのプロフィールなどのテキストデータもデマルチプレクサ７０においてトランスポートストリームから抽出され、ＩＥＥＥ１３９４インターフェイス６０を介してＭＤレコーダ／プレーヤ１３Ａに転送される。ＭＤレコーダ／プレーヤ１３Ａでは、装填されているディスクの所定の領域に対して、これら静止画データ、テキストデータを記録することができるようになっている。
【０１０５】
２．本発明に至った背景
例えば、オブジェクトカルーセル方式によるデジタルデータ放送の受信を行っている場合、その放送中においてカルーセルの内容（放送内容）が切り換えられたとすると、その時点で、切り換え前のそのカルーセルのデータは無効となり、新しい内容のカルーセルにアクセスすることが可能な状態となる。なお、カルーセルを形成するデータ単位としては、例えば図６に示した１イベントに相当するデータとされている。
【０１０６】
但し、ＤＳＭ−ＣＣ方式においては、カルーセルの内容が切り換わったタイミングでこれをクライアント側に通知するインターフェイスを備えていない。つまり、ＩＲＤ１２の場合であれば、ＤＳＭ−ＣＣデコーダブロック８３側の受信データにおいて、カルーセルの内容切り換えがあったとしても、これを直ちにＭＨＥＧデコーダブロック８４側が知ることが出来ない。
【０１０７】
ここで、クライアントが、現在シーン表示に使用しているカルーセルの内容切り換えを通知されないまま、次にそのカルーセルをサーバから読み出したような場合、以前のカルーセルとは異なるデータが読み出されて、このカルーセルにより表示が行われてしまうことになる。例えば、カルーセルの内容切り換えに関わらず以前の表示状態を維持したいような場合には、このようなクライアント側の動作では不都合を招くことになる。これは、例えばユーザが楽曲などの購買を行うことが可能とされる放送を視聴している状態で、購買に関わる入力操作等を行っているときに、カルーセルの内容が切り換わってしまった場合などが挙げられる。すなわち、カルーセルの内容が切り換わった時点でそれまで行っていた購買操作が無効になり、購買が不成立となってしまう。
また、逆にカルーセルの内容切り換えに対応して、現在のシーン表示の一部の内容を変更する必要が在るような場合には、或る機会でもってその切り換わったカルーセルをサーバから読み出すまでは、シーンの表示が変更されないことになる。つまり、実際のカルーセルの内容切り換えのタイミングに対して、シーンの表示内容を切り換えるタイミングが遅れることになる。
このようにして、クライアントがカルーセルの内容切り換えを通知されないことで、何らかの不都合が生じることになる。
【０１０８】
３．本実施の形態のカルーセル切り換え新通知制御
３−１．Ｕ−Ｕ  ＡＰＩの一般的処理
そこで、本実施の形態では、以降説明するようにして、クライアント（ＭＨＥＧデコーダブロック８４）側においてカルーセルの内容切り換えを知ることが出来るようにして、これに対応した適切なＭＨＥＧデコード処理が得られるようにすることを目的とするものである。また、このようなカルーセルの内容切り換えの通知のためのインターフェイスとしては、Ｕ−Ｕ  ＡＰＩに準拠させるように構成されるものである。
【０１０９】
ここで、本実施の形態としての内容切り換え通知のためのインターフェイスを説明するのに先だって、図１５により、Ｕ−Ｕ  ＡＰＩのインターフェイスの一般的な一例を説明しておく。
ここでは、クライアントであるＭＨＥＧデコーダブロック８４が、ストリーム再生を行う場合を例に挙げている。この図において○内に示す数は、ＭＨＥＧデコーダブロック８４及びＤＳＭ−ＣＣデコーダブロック８３の処理手順を示すものである。以下、この処理手順に従って説明を行う。また、以降の説明においては、ＭＨＥＧデコーダブロック８４をクライアント、ＤＳＭ−ＣＣデコーダブロック８３についてはサーバということにする。
【０１１０】
（処理１）  クライアントは、所要のタイミングでＥｖｅｎｔ：：Ｓｕｂｓｃｒｉｂｅ（″ｓｔｒｅａｍ  ｏｎ″）をサーバに対して伝送する。
Ｅｖｅｎｔ：：Ｓｕｂｓｃｒｉｂｅ（″ｓｔｒｅａｍ  ｏｎ″）は、以降において、″ｓｔｒｅａｍ  ｏｎ″イベントを受け取ることをサーバに宣言するインターフェイスである。
【０１１１】
（処理２）  Ｅｖｅｎｔ：：Ｓｕｂｓｃｒｉｂｅ（″ｓｔｒｅａｍ  ｏｎ″）が受信されると、サーバでは、ｓｔｒｅａｍ  ｏｎイベントに対応するイベント番号を返す。ここでは、Ｅｖｅｎｔ＃１０を設定してクライアントに対して伝送している。
【０１１２】
（処理３）  クライアントでは、イベント番号を獲得したら、Ｅｖｅｎｔ：：ｎｏｔｉｆｙをサーバへ出力する。
Ｅｖｅｎｔ：：ｎｏｔｉｆｙとは、クライアント側からサーバ側に対して、サーバ側において、何らかのイベントの発生があれば、その通知を要求するインターフェイスである。
【０１１３】
（処理４）  上記（処理３）のｎｏｔｉｆｙに対する応答処理として、図１５のようにして或るタイミングで受信データにおいて″ｓｔｒｅａｍ  ｏｎ″イベントが発生したら、サーバは、″ｓｔｒｅａｍ  ｏｎ″イベントに対して設定したイベント番号であるＥｖｅｎｔ＃１０をクライアントに伝送する。
（処理５）  クライアントでは、受信した上記Ｅｖｅｎｔ＃１０により、″ｓｔｒｅａｍ  ｏｎ″イベントが発生したことを知ることになる。そして、この場合には例えばストリーム再生のためのＭＨＥＧデコード処理を実行する。
【０１１４】
３−２．第１例
次に、上記図１５に示したＵ−Ｕ  ＡＰＩインターフェイスに基づく本実施の形態のカルーセル切り換え通知制御について説明する。
前述のように、ＤＳＭ−ＣＣではカルーセルの内容切り換えがあったことを、そのタイミングでクライアントに知らせるための情報を有してはいない。また、切り換えられたカルーセルを直接的に識別可能な情報も伝送はされない。つまり、現状では、クライアント側は受信したカルーセルの内容が切り換わったタイミングを知ることは出来ない。
【０１１５】
但し、ＤＳＭ−ＣＣでは、カルーセルの内容切り換えが行われた場合、これが図８にて説明したＤＳＩの内容に反映される。即ち、ＤＳＩにおけるカルーセルの内容に関する情報が変更される。本実施の形態ではこれを利用する。
【０１１６】
そして、本実施の形態のカルーセル切り換え通知制御として、その第１例においては、Ｕ−Ｕ  ＡＰＩのインターフェイスとして″ＤＳＩ＿ＣＨＡＮＧＥＤ″イベントを追加する。この″ＤＳＩ＿ＣＨＡＮＧＥＤ″イベントは、サーバ側において、その内容が変更された新規のＤＳＩメッセージを受信したことを意味する。そして、図１３の（処理１）〜（処理４）に示すようにしてカルーセルの切り換え通知制御を実行する。
【０１１７】
（処理１）  クライアントは、Ｅｖｅｎｔ：：Ｓｕｂｓｃｒｉｂｅ（″ＤＳＩ＿ＣＨＡＮＧＥＤ″）をサーバに伝達する。
（処理２）  Ｅｖｅｎｔ：：Ｓｕｂｓｃｒｉｂｅ（″ＤＳＩ＿ＣＨＡＮＧＥＤ″）を受信したサーバは、″ＤＳＩ＿ＣＨＡＮＧＥＤ″イベントに対して設定したイベント番号をクライアントに返す。ここでは、″ＤＳＩ＿ＣＨＡＮＧＥＤ″イベントに対してＥｖｅｎｔ＃１を設定して返している。
【０１１８】
（処理３）  上記イベント番号を獲得した後、クライアントは、Ｅｖｅｎｔ：：ｎｏｔｉｆｙをサーバに伝送し、″ＤＳＩ＿ＣＨＡＮＧＥＤ″を含む何らかのイベントが発生したらこれを通知する要求を行う。
（処理４）  サーバでは、受信したカルーセルのデータに含まれるＤＳＩを保持しているようにされる。そして、上記Ｅｖｅｎｔ：：ｎｏｔｉｆｙを受けた後の或るタイミングで、受信したカルーセルのデータに含まれるＤＳＩが変更されたとする。これは、そのＤＳＩが示すカルーセルの内容切り換えがあったことを意味する。
このようにして、ＤＳＩの変更があった、つまり″ＤＳＩ＿ＣＨＡＮＧＥＤ″イベントが発生すると、サーバでは、（処理３）のＥｖｅｎｔ：：ｎｏｔｉｆｙに対する応答として、″ＤＳＩ＿ＣＨＡＮＧＥＤ″イベントに対して設定したイベント番号（Ｅｖｅｎｔ＃１）をクライアントに伝送するようにされる。
【０１１９】
これにより、クライアントでは、少なくとも現在放送中のデータサービスにおいてカルーセルの切り換えがあったことをほぼリアルタイムで知ることが出来る。  そして、この通知に従って、（処理５）としてカルーセルの内容切り換えに対応した、何らかの適切なＭＨＥＧデコード処理（シーンに関する出力制御等）を実行することが可能になる。図１３に示す例では、クライアントとしてはＤＳＩが変更した時点でカルーセル２のデータを利用した処理を開始することができるようになる。
具体的には、受信したカルーセルは受信されて所要の処理を経た後に、順次図１２に示したＤＳＭ−ＣＣバッファ９１に読み込まれることになるが、従来ではカルーセル１からカルーセル２に切り換わり、カルーセル２のデータが読み込みが開始された時点において、クライアントはカルーセル１のデータを要求していた。つまり、この時点ではＭＨＥＧバッファ９２ではカルーセル１のデータ（ＧＵＩ画面のデータ）が処理に用いられていた。
しかし、本発明では、クライアントは（処理５）によってカルーセルの切り換わったタイミングを検出することができ、このタイミングに基づいてＤＳＭ−ＣＣバッファ９１に読み込まれているカルーセル２のデータを要求してＭＨＥＧバッファ９２に格納していくことができるようになる。これにより、カルーセル２に切り換わったタイミングとほぼ同じ時点で、カルーセル２のデータによるＧＵＩ画面を構成して出力することができるようになる。
【０１２０】
ところで、図１３の（処理３）として示したＥｖｅｎｔ：：ｎｏｔｉｆｙは、前述のように、何らかのイベントが発生したことの通知をクライアントからサーバに要求するものであるが、実際には、或るイベントの発生によってサーバ側でＥｖｅｎｔ：：ｎｏｔｉｆｙに応答した通知を行うと、この時点で、Ｅｖｅｎｔ：：ｎｏｔｉｆｙは無効となる。
このため、図１３に示した処理の実際において、はじめに（処理２）としてＥｖｅｎｔ：：Ｓｕｂｓｃｒｉｂｅ（″ＤＳＩ＿ＣＨＡＮＧＥＤ″）を発行して以降、サーバ側での″ＤＳＩ＿ＣＨＡＮＧＥＤ″イベントの発生を逃さずに通知させるために、一旦発行したＥｖｅｎｔ：：ｎｏｔｉｆｙに応答したイベント通知が行われたら、この後、直ちに次のＥｖｅｎｔ：：ｎｏｔｉｆｙを発行するようにしている。つまり、サーバ側において、Ｅｖｅｎｔ：：ｎｏｔｉｆｙが無効とされている期間ができるだけ生じないようにするものである。
このようにすれば、データサービス放送中において、ＤＳＩの切り換えが行われるごとに、これを逃すことなくほぼリアルタイムで″ＤＳＩ＿ＣＨＡＮＧＥＤ″イベントの発生のあったことをクライアントに逐次通知することが可能になる。
【０１２１】
また、上記した（処理１）である、Ｅｖｅｎｔ：：Ｓｕｂｓｃｒｉｂｅ（″ＤＳＩ＿ＣＨＡＮＧＥＤ″）をクライアントからサーバに伝達するインターフェイスは、データサービス放送中におけるＤＳＩの切り換えを逐一逃さずに通知できるようにすることを考慮して、ＭＨＥＧデコーダブロック８４のプログラム（ＭＨＥＧエンジン）が立ち上がって直ぐのタイミングと、カルーセルのデータ内容の切り換えが行われたときに実行するようにされる。
なお、ＭＨＥＧデコーダブロック８４のプログラムを立ち上げる場合とは、例えば、これまでサービスデータ放送が付随されていない放送を受信していた状態から、例えばチャンネルの切り換えや番組の変更が行なわれることで、新たにデータサービス放送が付随している番組を受信した時などとされる。
【０１２２】
３−３．第２例
続いて、第２例としてのカルーセル切り換え通知制御について図１４を参照して説明する。この第２例では、クライアントに対してイベント番号（Ｅｖｅｎｔ＃１）が伝送（処理４）された後、クライアントは所定の期間、ＤＳＩが変更した直前のカルーセルを継続して利用することが可能になる。なお、（処理１）から（処理４）に至る行程は第１例と同様であり説明は省略する。
【０１２３】
本例では、クライアントにおけるイベント番号（Ｅｖｅｎｔ＃１）が伝送（処理４）された場合、ＩＲＤ１２としてはカルーセル１に続くカルーセル２を受信しているが、対応処理（処理６）としては、ＤＳＩが変更する前のカルーセル１に対応した処理可能データ１を継続して利用する。
この場合、サーバとしてはクライアントに対して新たに受信しているカルーセル２に対応したデータの開示を行なわないようにし、処理可能データ１としてＤＳＭ−ＣＣバッファ９１に取り込まれているカルーセルのデータ（例えば斜線を付して示されている部分）を開示して、これらにクライアントがアクセスするように設定する。すなわち、ＤＳＩの変更に対して、切り換わったカルーセルのデータの読み出しを遅らせるような制御が行なわれる。
【０１２４】
そして、その後クライアントは所定のタイミングで、Ｓｅｓｓｉｏｎ：：ｄｅｔａｃｈを伝送（処理７）する。このＳｅｓｓｉｏｎ：：ｄｅｔａｃｈは、クライアントが（処理６）によってサーバが開示していないカルーセル２に対応した処理可能データ２の解放を要求する解放要求イベントとされ、所定のタイミングでサーバに対して伝送する。
これによりサーバは、クライアントに対してカルーセル２に対応した処理可能データ２をアクセス可能とする。したがって、クライアントではＳｅｓｓｉｏｎ：：ｄｅｔａｃｈの伝送を行なった後は、サーバによって新たに開示されたカルーセル２の処理可能データ２に基づいて所要の処理を行なうことが可能になる。
【０１２５】
Ｓｅｓｓｉｏｎ：：ｄｅｔａｃｈが伝送されるタイミングとしては、例えば（処理５）が開始されてからの時間を予め設定しておいても良いし、現在処理を行なっているデータ、すなわち本例では処理可能データ１が必要なくなったと判断した場合としても良い。処理可能データ１が必要なくなったことを判断する要因としては、例えばユーザによる所要の操作が検出された場合などとされる。
【０１２６】
このように、第２例によれば、カルーセルが切り換わった後でも、切り換わる直前のデータを継続して用いて処理を行なうことができる。したがって、カルーセルの切り換わりに伴って、現在行なわれている処理が中断されないようにすることができる。
【０１２７】
なお、本発明としては、データ伝送方式としてＤＳＭ−ＣＣ方式を採用し、ＭＨＥＧのクライアント−サーバ間のインターフェイスとしてＵ−Ｕ  ＡＰＩを採用した場合について説明しているが、これに限定されるものではなく、上記実施の形態において説明した送信フォーマットに準ずる伝送方式、及びインターフェイスであれば本発明の適用が可能とされる。また、本発明が適用されるシステムとしてもデジタル衛星放送システムに限定されるものではなく、例えばケーブルテレビジョンなどの放送や、インターネット等において適用することも可能である。
【０１２８】
【発明の効果】
以上説明したように本発明は、例えばＤＳＭ−ＣＣ方式のもとでオブジェクトカルーセルによりデータ伝送を行うシステムの受信側におけるデータ伝達制御方法として、カルーセルの内容が切り換わったことを、カルーセルからデータを受信して保持するサーバ側から、このカルーセルのデータを使用して所要の機能を実現するクライアントに対して通知できるようにしたことで、クライアント側では、この通知に従って、カルーセルの内容切り換えに応答して実行すべき処理を迅速に或いは効率的に実行することが可能になるものである。
【０１２９】
そして本発明では、上記のようなカルーセルの内容切り換えを通知するためのカルーセル内容切り換え通知処理として、例えばＵ−Ｕ  ＡＰＩ等の既存のインターフェイスのもとで、カルーセルの内容切り換えに関する制御情報（ＤＳＩ）の変更を意味する制御情報変更イベント（ＤＳＩ＿ＣＨＡＮＧＥＤ）を設定し、この制御情報変更イベントを利用して、クライアント側からサーバ側に制御情報の変更が有ったことを通知するように構成される。つまり、敢えて特化されたインターフェイスの規格を採用することなく、既存のインターフェイスに準拠した上で、カルーセルの内容切り換えの通知を実現することができ、それだけ汎用性が与えられることになる。
【０１３０】
また、サブスクライブイベント（Ｅｖｅｎｔ：：ｓｕｂｓｃｒｉｂｅ）の伝達は、クライアントのプログラムの立ち上げ時、又は、カルーセル自体の切り換えが行われたときに実行する、また、イベント通知要求（Ｅｖｅｎｔ：：ｎｏｔｉｆｙ）は、サーバからのイベント通知要求に対する応答メッセージが得られた後において、直ちに実行されるようにすることで、クライアントのプログラムの立ち上げ以降においては、カルーセルの内容切換え通知をほぼ逃さずに得ることが可能になり、例えば、放送側でのカルーセルの内容切り換えにほぼ即応したＧＵＩ画面の内容変更が可能になるなど、信頼性が向上することになる。
【０１３１】
さらに、前記サーバが前記制御情報変更イベントの発生を前記クライアントに通知した後、前記クライアントが前記サーバに対してセッションデタッチ（Ｓｅｓｓｉｏｎ：：ｄｅｔａｃｈ・・・解放要求）を伝達するまでの所定の期間内において、前記制御情報変更イベントが発生する前のカルーセルの内容を継続して使用するようにしている。したがって、カルーセルの内容が切り換わった場合でも、直前のカルーセルの内容に基づいて行なわれている処理を中断させないようにすることができる。
【図面の簡単な説明】
【図１】本発明の実施の形態のデジタル衛星放送受信システムの構成例を示すブロック図である。
【図２】本実施の形態における受信設備の構築例を示すブロック図である。
【図３】ＩＲＤのためのリモートコントローラの外観を示す正面図である。
【図４】放送画面とＧＵＩ画面との切り換えを示す説明図である。
【図５】地上局の構成例を示すブロック図である。
【図６】地上局から送信されるデータを示すチャート図である。
【図７】送信データの時分割多重化構造を示す説明図である。
【図８】ＤＳＭ−ＣＣによる送信フォーマットを示す説明図である。
【図９】データサービスのディレクトリ構造の一例を示す説明図である。
【図１０】トランスポートストリームのデータ構造図である。
【図１１】ＰＳＩのテーブル構造を示す説明図である。
【図１２】ＩＲＤの構成を示す説明図である。
【図１３】第１例としてのカルーセル切り換え通知制御を示す説明図である。
【図１４】第２例としてのカルーセル切り換え通知制御を示す説明図である。
【図１５】Ｕ−Ｕ  ＡＰＩインターフェイスの一般的な制御動作例を示す説明図である。
【符号の説明】
１  地上局、２  衛星、３  受信設備、５  課金サーバ、６  テレビ番組素材サーバ、７  楽曲素材サーバ、８  音声付加情報サーバ、９  ＧＵＩデータサーバ、１０  キー情報サーバ、１１  パラボラアンテナ、１３  ストレージデバイス、１３Ａ  ＭＤレコーダ／プレーヤ、１４  モニタ装置、１６  ＩＥＥＥ１３９４バス、２１Ａ  テレビ番組表示エリア、２１Ｂ  リスト、２１Ｃ  テキスト表示エリア、２１Ｄ  ジャケット表示エリア、２２  歌詞表示ボタン、２３  プロフィール表示ボタン、２４  情報表示ボタン、２５  予約録音ボタン、２６  予約済一覧表示ボタン、２７  録音履歴ボタン、２８  ダウンロードボタン、３１  テレビ番組素材登録システム、３２  楽曲素材登録システム、３３  音声付加情報登録システム、３４  ＧＵＩ用素材登録システム、３５  ＡＶサーバ、３６Ａ  ＭＰＥＧオーディオエンコーダ、３６Ｂ  ＡＴＲＡＣエンコーダ、３７  音声付加情報データベース、３８  ＧＵＩ素材データベース、３９  テレビ番組送出システム、４０Ａ  ＭＰＥＧオーディオサーバ、４０Ｂ  ＭＰＥＧオーディオサーバ、４１  音声付加情報送出システム、４２  ＧＵＩオーサリングシステム、４３Ａ  ＭＰＥＧオーディオ送出システム、４３Ｂ  ＡＴＲＡＣオーディオ送出システム、４４  ＤＳＭ−ＣＣエンコーダ、４５  マルチプレクサ、４６  電波送出システム、５１  チューナ／フロントエンド部、５２  デスクランブラ、５３  トランスポート部、５４  ＭＰＥＧ２オーディオデコーダ、５４Ａ  メモリ、５５  ＭＰＥＧ２ビデオデコーダ、５５Ａ  メモリ、５６  Ｄ／Ａコンバータ、５７  スイッチ回路、５８  表示処理部、５９  光デジタル出力インターフェイス、６０  ＩＥＥＥ１３９４インターフェイス、６１  マンマシンインターフェイス、６２  ＩＣカードスロット、６３  モデム、６４  リモートコントローラ、６５  ＩＣカード、７０  デマルチプレクサ、７１  キュー、８１  制御処理部、８２  ＤｅＭＵＸドライバ、８３  ＤＳＭ−ＣＣデコーダブロック、８４  ＭＨＥＧデコーダブロック、９０  メインメモリ、９１  ＤＳＭ−ＣＣバッファ、１０１  電源キー、１０２  数字キー、１０３  画面表示切換キー、１０４  インタラクティブ切換キー、１０５ａ  矢印キー、１０５  ＥＰＧキーパネル部、１０６  チャンネルキー、Ｔ１  入力端子、Ｔ２  アナログビデオ出力端子、Ｔ３  アナログオーディオ出力端子、Ｔ４  アナログオーディオ出力端子
【図１】
0004378778.tif 000002
【図２】
0004378778.tif 000003
【図３】
0004378778.tif 000004
【図４】
0004378778.tif 000005
【図５】
0004378778.tif 000006
【図６】
0004378778.tif 000007
【図７】
0004378778.tif 000008
【図８】
0004378778.tif 000009
【図９】
0004378778.tif 000010
【図１０】
0004378778.tif 000011
【図１１】
0004378778.tif 000012
【図１２】
0004378778.tif 000013
【図１３】
0004378778.tif 000014
【図１４】
0004378778.tif 000015
【図１５】
0004378778.tif 000016